(57)【要約】高密度再生専用光ディスク及びその記録及び／または再生方法が開示されている。  この開示された高密度再生専用光ディスクは、リードイン領域、ユーザーデータ領域及びリードアウト領域を具備した再生専用の高密度光ディスクであって、前記リードイン領域及びリードアウト領域のうち少なくとも一領域に記録されるディスク関連情報は高周波のグルーブウォッブルで記録され、前記ユーザーデータ領域のデータはピットで記録されることを特徴とする。  前記構成により、記録可能な高密度光ディスクの再生信号チャンネルを共に使用できるため、記録可能な光ディスクとの一貫性または統一性を維持できる。したがって、記録可能な高密度光ディスクのドライブとの互換性を確保できる。
2005528725.tif 000002
【特許請求の範囲】
【請求項１】
リードイン領域、ユーザーデータ領域及びリードアウト領域を具備した再生専用の高密度光ディスクであって、
前記リードイン領域及びリードアウト領域のうち少なくとも一領域に記録されるディスク関連情報は高周波のグルーブウォッブルで記録され、前記ユーザーデータ領域のデータはピットで記録されることを特徴とする光ディスク。
【請求項２】
前記グルーブウォッブル及びピットは、
再生ビームの入射面を基準にグルーブウォッブルの深さとピットの深さとが同一に形成されたことを特徴とする請求項１に記載の光ディスク。
【請求項３】
前記グルーブウォッブル及びピットは、
再生ビームの入射面を基準にグルーブウォッブルの深さとピットの深さとが相異なって形成されたことを特徴とする請求項１に記載の光ディスク。
【請求項４】
ディスクの屈折率をｎ、再生ビームの波長をλとする時、前記ピットの深さはλ／１２ｎ〜λ／２ｎ範囲内にあり、前記グルーブウォッブルの深さはλ／２０ｎ〜λ／５ｎ範囲内であることを特徴とする請求項３に記載の光ディスク。
【請求項５】
一層以上の情報面を持ち、各情報面はリードイン領域、ユーザーデータ領域、リードアウト領域、ディスク関連情報、及びユーザーデータ領域のデータを持つことを特徴とする請求項４に記載の光ディスク。
【請求項６】
前記グルーブウォッブルは差動信号チャンネルｃｈ２により再生され、前記ピットは和信号チャンネルｃｈ１により再生されることを特徴とする請求項４に記載の光ディスク。
【請求項７】
一層以上の情報面を持ち、各情報面はリードイン領域、ユーザーデータ領域、リードアウト領域、ディスク関連情報、及びユーザーデータ領域のデータを持つことを特徴とする請求項１に記載の光ディスク。
【請求項８】
前記グルーブウォッブルは差動信号チャンネルｃｈ２により再生され、前記ピットは和信号チャンネルｃｈ１により再生されることを特徴とする請求項１に記載の光ディスク。
【請求項９】
リードイン領域、ユーザーデータ領域及びリードアウト領域を具備した再生専用の高密度光ディスクを記録または再生する方法であって、
前記リードイン領域及びリードアウト領域のうち少なくとも一領域にディスク関連情報を高周波のグルーブウォッブルで記録する段階と、
前記ユーザーデータ領域のデータをピットで記録する段階とを含むことを特徴とする方法。
【請求項１０】
前記グルーブウォッブル及びピットは、
再生ビームの入射面を基準にグルーブウォッブルの深さとピットの深さとが同一に形成されたことを特徴とする請求項９に記載の方法。
【請求項１１】
前記グルーブウォッブル及びピットは、
再生ビームの入射面を基準にグルーブウォッブルの深さとピットの深さとが相異なって形成されたことを特徴とする請求項９に記載の方法。
【請求項１２】
ディスクの屈折率をｎ、再生ビームの波長をλとする時、前記ピットの深さはλ／１２ｎ〜λ／２ｎ範囲内にあり、前記グルーブウォッブルの深さはλ／２０ｎ〜λ／５ｎ範囲内であることを特徴とする請求項１１に記載の方法。
【請求項１３】
前記光ディスクは一層以上の情報面を持ち、各情報面はリードイン、ユーザーデータ領域、リードアウト、ディスク関連情報、及びユーザーデータ領域のデータを持つことを特徴とする請求項９に記載の方法。
【請求項１４】
前記グルーブウォッブルは差動信号チャンネルｃｈ２により再生され、前記ピットは和信号チャンネルｃｈ１により再生されることを特徴とする請求項９に記載の方法。
【請求項１５】
前記ディスク関連情報はスタンパーを使用して光ディスクに記録されることを特徴とする請求項１に記載の光ディスク。
【請求項１６】
前記光ディスクは２０Ｇｂ以上の記録容量を持つことを特徴とする請求項１５に記載の光ディスク。
【請求項１７】
前記高周波ウォッブル及びピットは、２０Ｇｂ以上の記録容量を持つ記録可能な光ディスクを記録及び／または再生する同じディスクドライブにより再生可能なことを特徴とする請求項１５に記載の高密度再生専用光ディスク。
【請求項１８】
光ディスクは２０Ｇｂ以上の記録容量を持つことを特徴とする請求項１７に記載の光ディスク。
【請求項１９】
前記ディスク関連情報はスタンパーを使用して光ディスクに記録されることを特徴とする請求項９に記載の方法。
【請求項２０】
前記光ディスクは２０Ｇｂ以上の記録容量を持つことを特徴とする請求項１９に記載の方法。
【請求項２１】
前記高周波ウォッブル及びピットは、２０Ｇｂ以上の記録容量を持つ記録可能な光ディスクを記録及び／または再生する同じディスクドライブにより再生可能なことを特徴とする請求項１９に記載の方法。
【請求項２２】
光ディスクは２０Ｇｂ以上の記録容量を持つことを特徴とする請求項２１に記載の方法。
【請求項２３】
リードイン領域、ユーザーデータ領域及びリードアウト領域を具備した高密度光ディスクであって、
前記リードイン領域及びリードアウト領域のうち少なくとも一領域に記録されるディスク関連情報は高周波のグルーブウォッブルで記録され、前記ユーザーデータ領域のデータはピットで記録され、前記光ディスクの容量が２０Ｇｂ以上であることを特徴とする光ディスク。
【請求項２４】
前記光ディスクは記録及び／または再生専用であり、同じディスクドライブで記録及び／または再生できるように前記光ディスクのフォーマットが、他の記録可能なディスク及び再生専用ディスクと同じであることを特徴とする請求項２３に記載の光ディスク。
【請求項２５】
前記グルーブウォッブル及びピットは、
再生ビームの入射面を基準にグルーブウォッブルの深さとピットの深さとが実質的に同一に形成されたことを特徴とする請求項２３に記載の光ディスク。
【請求項２６】
前記グルーブウォッブル及びピットは、
再生ビームの入射面を基準にグルーブウォッブルの深さとピットの深とが相異なって形成されたことを特徴とする請求項２３に記載の光ディスク。
【請求項２７】
ディスクの屈折率をｎ、再生ビームの波長をλとする時、前記ピットの深さはλ／１２ｎ〜λ／２ｎ範囲内であり、前記グルーブウォッブルの深さはλ／２０ｎ〜λ／５ｎ範囲内であることを特徴とする請求項２６に記載の光ディスク。
【請求項２８】
ディスク関連情報及びデータを示すための共通フォーマットを持つ記録可能ディスク及び再生専用光ディスクに使用するための記録及び／または再生装置であって、前記装置は、
前記記録可能及び再生専用光ディスクに対してデータを記録及び／または再生するためのピックアップ部と、
前記ピックアップ部からの信号を処理するための信号処理部と、
前記光ディスクに対してデータを記録及び／または再生するために信号処理部及びピックアップ部を制御するための制御部とを含み、
前記装置は、記録可能ディスク及び再生専用ディスクに対して互換可能であり、前記それぞれの記録可能ディスク及び再生専用ディスクは、リードイン領域、ユーザーデータ領域及びリードアウト領域を含み、ディスク関連情報がリードイン領域及びリードアウト領域のうち少なくとも一領域に高周波グルーブで記録され、ユーザーデータがピットで記録され、前記記録可能なディスク及び再生専用専用光ディスクの容量が２０Ｇｂ以上であることを特徴とする装置。
【請求項２９】
前記再生専用ディスクはスタンパーを利用して製造され、同じディスクドライブで記録及び／または再生できるように他の記録可能な光ディスクと同じフォーマットを持つことを特徴とする請求項２８に記載の装置。
【請求項３０】
前記ピックアップ部は光源を具備し、前記グルーブウォッブルの深さは、ピックアップ部の波長によって最適化されたピットの深さと同一であることを特徴とする請求項２８に記載の装置。
【請求項３１】
前記ピックアップ部は所定波長を持つビームを照射する光源を具備し、前記光ディスクは、ピットの深さと異なるグルーブウォッブルの深さを持つ再生専用光ディスクであり、グルーブの深さは、信号処理部により処理されたプッシュプル信号を最大化するように前記波長に対して最適化されたことを特徴とする請求項２８に記載の装置。
【請求項３２】
ｎはディスクの屈折率であり、λはビームの波長である時、ピットの深さはλ／１２ｎ〜λ／２ｎ範囲を持ち、グルーブウォッブルの深さはλ／２０ｎ〜λ／５ｎ範囲を持つことを特徴とする請求項３１に記載の装置。
【発明の詳細な説明】
【技術分野】
【０００１】
本発明は、再生専用データがグルーブウォッブルで形成され、ユーザーデータがピットで形成されて相異なるチャンネルで再生される高密度再生専用の光ディスク及びその記録／再生方法に関する。
【背景技術】
【０００２】
一般的に光ディスクは非接触式で情報を記録／再生する光ピックアップ装置の情報保存媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４．７ＧＢ  ＤＶＤ＋ＲＷ、ＤＶＤ−ＲＡＭ、ＤＶＤ−ＲＷ（リライタブル）などがあり、再生専用ディスクとして、６５０ＭＢ  ＣＤ、４．７ＧＢ  ＤＶＤ−ＲＯＭなどがある。さらに、記録容量２０ＧＢ以上の高密度光ディスク（ＨＤ−ＤＶＤ）も開発されている。
【０００３】
ところが、従来の再生専用ディスクでは、ディスク内周側に設けられるリードイン領域にディスク関連情報である再生専用データがピット形態で記録されていることが一般的である。しかし、今後開発される記録可能な高密度光ディスクと同じフォーマットを持つ再生専用ディスクを設計するに当って、ディスクドライブの互換性確保のためにフォーマットの一貫性ないしは統一性を維持する必要がある。したがって、再生専用の高密度光ディスクの物理的のデータ構造を、記録可能な高密度光ディスクの規格に合せて新たに構成することが要求される。
【発明の開示】
【発明が解決しようとする課題】
【０００４】
本発明は前記問題点を鑑みてなされたものであり、記録可能な高密度ディスクのフォーマットと一貫性を維持可能にし、再生信号特性及びジッター特性が良好に現れるように物理的データ構造を改善した再生専用の高密度光ディスク及びその製造方法を提供するところに本発明の目的がある。
【課題を解決するための手段】
【０００５】
前記目的を達成するために本発明による再生専用の高密度光ディスクは、リードイン領域、ユーザーデータ領域及びリードアウト領域を具備した再生専用の高密度光ディスクであって、前記リードイン領域及びリードアウト領域のうち少なくとも一領域に記録されるディスク関連情報は高周波のグルーブウォッブルで記録され、前記ユーザーデータ領域のデータはピットで記録されることを特徴とする。
【０００６】
前記グルーブウォッブル及びピットは、再生ビームの入射面を基準にグルーブウォッブルの深さとピットの深さとが同一に形成されたことを特徴とする。
【０００７】
前記グルーブウォッブル及びピットは、再生ビームの入射面を基準にグルーブウォッブルの深さとピットの深さとが相異なって形成されたことを特徴とする。
【０００８】
ディスクの屈折率をｎ、再生ビームの波長をλとする時、前記ピットの深さはλ／１２ｎ〜λ／２ｎ範囲内にあり、前記グルーブウォッブルの深さはλ／２０ｎ〜λ／５ｎ範囲内であることを特徴とする。
【０００９】
前記グルーブウォッブルは差動信号チャンネルｃｈ２により再生され、前記ピットは和信号チャンネルｃｈ１により再生されることを特徴とする。
【００１０】
前記目的を達成するために本発明による再生専用の高密度光ディスクの記録及び／または再生方法は、リードイン領域、ユーザーデータ領域及びリードアウト領域を具備した再生専用の高密度光ディスクを記録及び／または再生する方法であって、前記リードイン領域及びリードアウト領域のうち少なくとも一領域にディスク関連情報を高周波のグルーブウォッブルで記録する段階と、前記ユーザーデータ領域のデータをピットで記録する段階とを含むことを特徴とする。
【００１１】
以下、本発明の望ましい実施例による再生専用の高密度光ディスク及びその記録／再生方法について添付された図面を参照して詳細に説明する。
【発明を実施するための最良の形態】
【００１２】
本発明の関連技術として記録可能な高密度光ディスクの物理的構造が図１に示されている。これと関連した発明は、本出願人が出願した大韓民国特許第２００１−０２３７４７号公報に開示されている。この記録可能な高密度光ディスクは、リードイン領域１１０、ユーザーデータ領域１２０及びリードアウト領域１３０を含み、ディスク全体領域をグルーブ１２３及びランド１２５で構成する。ここで、ユーザーデータは前記グルーブ１２３にのみ記録されることもあり、グルーブ１２３及びランド１２５双方いずれにも記録されることもある。
【００１３】
一方、再生専用データの記録時、ピットの代わりにグルーブ１２３及び／またはランド１２５の側壁に特定周波数の信号であるウェーブ型のウォッブル信号１０５、１０６を連続して記録する。ここで、ビームＬがグルーブ１２３及び／またはランド１２５トラックに沿って行きつつデータを記録／再生する。特に、リードイン領域１１０及びリードアウト領域１３０には、ディスク関連情報が記録される再生専用領域及び記録可能な領域が共に備えられる。前記ディスク関連情報は高周波ウォッブル１０５で記録され、リードイン領域１１０及びリードアウト領域１３０の記録可能な領域とユーザーデータ領域１２０とは、高周波ウォッブル１０５に比べて相対的に低い周波数のウォッブル１０６で構成される。１２７はユーザーデータ領域１２０に形成された記録マークを示す。
【００１４】
一方、前記高周波ウォッブルデータはプッシュプル信号を利用した差動信号チャンネルｃｈ２を利用して再生され、ユーザー領域のデータは和信号チャンネルｃｈ１を利用して再生される。
【００１５】
前述したような記録可能な高密度光ディスクのフォーマットを考慮して、本発明による再生専用の高密度光ディスクの物理的データ構造を設計する。
【００１６】
図２を参照するに、本発明による再生専用の高密度光ディスクは、リードイン領域１０、ユーザーデータ領域１３及びリードアウト領域１５を具備し、リードイン領域１０及びリードアウト領域１５のうち少なくともいずれか一領域にディスク関連情報のような再生専用データが記録され、ユーザーデータ領域１３に再生専用のユーザーデータが記録される。
【００１７】
リードイン領域１０及びリードアウト領域１５には、グルーブトラック３とランドトラック５とが交互に形成され、前記ディスク関連情報のような再生専用データが、グルーブトラック３及び／またはランドトラックの側壁にウェーブ形態の高周波グルーブウォッブル８で記録される。また、前記ユーザーデータは、基板製造時にピット１８形態で記録される。このようなディスクは一種のハイブリッドディスクであって、再生チャンネルがそれぞれ相異なって構成される。
【００１８】
一方、図３は、グルーブウォッブルまたはピットの深さによるプッシュプル信号及びジッター特性を示したものであり、グルーブウォッブルまたはピットの深さは、プッシュプル信号及びジッター特性が良好に現れる深さで決定される。ここで、ジッター特性は和信号と関連がああって、ジッター値が低いほど和信号は良好になる。ｎはディスクの屈折率を、λは再生ビームの波長を示す時、図３でプッシュプル信号はλ／８ｎで最大である一方、ジッター値はλ／４ｎで最小値を示すので、ピットの場合にλ／４ｎ深さで最大の再生信号を得ることができる。このグラフでは、グルーブウォッブルまたはピットの深さを波長（λ／ｎ）単位で表した。
【００１９】
本発明による再生専用の高密度光ディスクでは、再生ビームの入射面を基準にグルーブウォッブル８の深さとピット１８の深さとを同一に形成できる。この時、図３のグラフを参照して、グルーブウォッブル８に対するプッシュプル信号及びピット１８に対するジッター値を共に考慮して適正な深さを決定できる。例えば、プッシュプル信号及びジッター値ともそれぞれの最大値より多少低く現れるが、両方の値に対していずれも信頼性のある再生信号を得られる深さに定めることができる。一例として、グルーブウォッブル８及びピット１８の深さをλ／６ｎとする場合、プッシュプル信号は最大値に対して約１２％程度減少し、ピット信号のジッター値は最小値に対して約０．４％ほど増加するが、このような程度の値ならばグルーブウォッブルとピット両方に対してそれぞれ信頼性のある再生信号を得られる。このようにグルーブウォッブル８及びピット１８の深さを同一に形成する場合には製造工程を単純化できる利点がある。
【００２０】
前記と違って、プッシュプル信号とジッター値のうちいずれか一つの値が最適に現れる深さに決定することもある。すなわち、グルーブウォッブル８及びピット１８の深さをプッシュプル信号が最適に現れる深さ、例えば、λ／８ｎで形成することもあり、またはジッター値が最適に現れる深さ、例えば、λ／４ｎで形成することもある。
【００２１】
この他に、前記ピットの深さはλ／１２ｎ−λ／２ｎ範囲内にあり、前記グルーブウォッブルの深さはλ／２０ｎ−λ／５ｎ範囲内にあるようにして、グルーブウォッブル８及びピット１８の深さを相異なって形成することもある。さらに望ましくは、グルーブウォッブル８の深さはプッシュプル信号が最大になる深さ、例えば、λ／８ｎで形成し、ピット１８の深さはジッター値が最小に現れる深さ、例えば、λ／４ｎで形成することによってそれぞれの信号に対して最適化させうる。ここで、λ／８ｎやλ／４ｎの深さは一例に過ぎず、他の深さも可能である。このようにグルーブウォッブル８及びピット１８の深さを相異なって形成する場合には、それぞれの対応する信号がいずれも最適値を満足できる利点がある。
【００２２】
一方、本発明による光ディスクは単層の光ディスクだけでなく複数の情報面を持つ多層光ディスクにも適用できる。
【００２３】
次いで、図４Ａないし図４Ｅを参照して、前記グルーブウォッブルの深さとピットの深さとを異ならせて光ディスクを製造する方法について説明する。
【００２４】
図４Ａのように、マスターグラス１８上にピット１８の深さと同じ厚さｄ２を持つフォトレジスト２０を均一に塗布する。その後、フォトレジスト２０をレーザービームによりカットするが、ここでパワー１  Ｐｗ１の強度を持つレーザービーム２３でランド対応領域２５を深さｄ１ほどカットし、パワー１  Ｐｗ１より大きいパワー２のレーザービーム２６でピット対応領域２８を深さｄ２ほどカットする。
【００２５】
一方、フォトレジスト２０を最初にレーザーカットする時、ディスクの螺旋方向と逆方向にトラックを形成する。これは、本発明で偶数のスタンパーを具備し、偶数番号目のスタンパーを利用して基板を成形するためである。
【００２６】
次いで、図４Ｂのようにレーザーカットしたものを現像してランド対応領域２５の深さｄ１よりピット対応領域２８の深さｄ２がさらに深いマスター３０を形成する。図４Ｃのようにマスター３０を利用してファーザースタンパー３３をスタンプする。それにより、ファーザースタンパー３３は、マスター３０の形状と逆の形状にスタンプされる。したがって、ランド対応領域２５’が突出しつつその間にグルーブ対応領域２７が形成される一方、ピット対応領域２８’が突設される。
【００２７】
次いで、図４Ｄのように、ファーザースタンパー３３を利用してそれと逆の形状を持つマザースタンパー３５をスタンプする。それにより、マザースタンパー３５は、ファーザースタンパー３３の形状と逆に形成されるランド対応領域２５”、ピット対応領域２８”、グルーブ対応領域２７’を持つ。
【００２８】
ここで基板成形のためのスタンパーを製造するに当って、このスタンパーを利用して大量の基板をモールドする時には、スタンパーを多数具備して一回に複数の基板をモールドする必要がある。マスター３０がフォトレジスト２０よりなっていて、マスター３０から複数のスタンパーを作る時、マスター３０が容易に摩耗されてしまい、したがって、マスター３０から製作されるスタンパーの形状が不良になる恐れがある。
【００２９】
したがって、本発明では、ファーザースタンパー３３を利用して複数のマザースタンパー３５をスタンプする。その後、マザースタンパー３５を利用して基板４０を射出成形する。
【００３０】
前述したように２つのスタンパーで基板を成形すれば、ファーザースタンパー３３と成形しようとする基板４０との形状が同一であり、マスター３０とマザースタンパー３５との形状が同一である。したがって、マスター３０の形状と成形しようとする基板４０との形状は逆になっている。これにより、フォトレジスト２０を最初にレーザーカットする時、トラックの方向を逆にしなければ基板成形時にトラックの螺旋方向が逆に成形される。
【００３１】
マザースタンパー３５を利用して最終的に得ようとする基板４０を成形する。ここで、再生ビームの入射方向から見る時、基板４０に形成されたグルーブ３またはグルーブウォッブル８の深さをｄ１、ピット１８の深さをｄ２とすれば、ｄ１＜ｄ２の関係が成立するように製造されたディスクが図５に示されている。
【００３２】
一方、前述した製造方法によってレーザービームのＰｗ１及びＰｗ２を調節して、図６に示されたようにグルーブウォッブル８の深さをピット１８の深さよりさらに深く（すなわち、ｄ１＞ｄ２）製造することもある。また、図８に示されたように、グルーブウォッブル８がピット１８と同じ深さ（ｄ１＝ｄ２）を持つディスクは、レーザービームのＰｗ１及びＰｗ２を調節して本発明の他の実施例により製造されうる。
【００３３】
次いで、本発明による再生専用の高密度光ディスクの記録または再生方法は、図２に示されたリードイン領域１０及びリードアウト領域１５のうち少なくとも一領域にディスク関連情報を高周波のグルーブウォッブル８で記録し、ユーザーデータ領域１３のデータをピット１８形態で記録する。そして、前記グルーブウォッブルで記録されたデータは、プッシュプル信号を利用する差動信号チャンネルＣｈ２により再生し、前記ピットで記録されたデータは和信号チャンネルＣｈ１により再生する。
【００３４】
グルーブウォッブル８及びピット１８は、前述したように相等しい深さに形成することもでき、それぞれ最適の深さに相異なって形成することもできる。
【００３５】
図７は、前記のような本発明による再生専用の高密度光ディスクを記録／再生するシステムを概略的に示したものである。この光ディスクの記録／再生システムは、ピックアップ部４０、記録／再生信号処理部６０及び制御部７０を含んで構成される。さらに具体的に説明すれば、記録／再生システムは光を照射するレーザーダイオード４１、レーザーダイオード４１から照射される光を平行にするコリメートレンズ４２、入射光の進行経路を変換するビームスプリッタ４４、ビームスプリッタ４４を通過した光を光ディスク５３に集束させる対物レンズ４６を含む。
【００３６】
光ディスク５３で反射された光がビームスプリッタ４４により反射されて光検出器、例えば４分割光検出器４０に受光される。光検出器４０に受光された光は、演算回路部５０を経て電気信号に変換されてＲＦ信号、すなわち、和信号を検出するチャンネル１Ｃｈ１と、プッシュプル方式によりウォッブル信号を検出する差動信号チャンネルＣｈ２とに出力される。本発明の光ディスクでは、ピット信号は和信号チャンネルＣｈ１で再生され、グルーブウォッブル信号は差動信号チャンネルＣｈ２で再生される。さらに、前記差動信号チャンネルで再生される信号を利用してトラッキングサーボ具現をする。
【産業上の利用可能性】
【００３７】
前述したように本発明による再生専用の高密度光ディスク及びその記録／再生方法は、記録可能な高密度光ディスクのフォーマットに合せて物理的データ構造を構成し、データの再生信号チャンネルを共に使用することによって一貫性または統一性を維持できる。したがって、記録可能な高密度光ディスクのドライブとの互換性を確保できる。
【図面の簡単な説明】
【００３８】
【図１】本発明の関連技術として記録可能な高密度光ディスクの構造を概略的に示した図である。
【図２】本発明による再生専用の高密度光ディスクの構造を概略的に示した図である。
【図３】グルーブの深さに対するプッシュプル信号及びピットのジッター変化を示したグラフである。
【図４Ａ】本発明による再生専用の高密度光ディスクの製造工程を示した図である。
【図４Ｂ】本発明による再生専用の高密度光ディスクの製造工程を示した図である。
【図４Ｃ】本発明による再生専用の高密度光ディスクの製造工程を示した図である。
【図４Ｄ】本発明による再生専用の高密度光ディスクの製造工程を示した図である。
【図４Ｅ】本発明による再生専用の高密度光ディスクの製造工程を示した図である。
【図５】本発明による再生専用の高密度光ディスクの一部斜視図である。
【図６】本発明による再生専用の高密度光ディスクの一部斜視図である。
【図７】本発明による再生専用の高密度光ディスクを再生するためのシステムを概略的に示した図である。
【図８】本発明の他の実施例による再生専用の高密度光ディスクの一部を示した図である。
【図１】
2005528725.tif 000003
【図２】
2005528725.tif 000004
【図３】
2005528725.tif 000005
2005528725.tif 000006
2005528725.tif 000007
2005528725.tif 000008
【図５】
2005528725.tif 000009
【図６】
2005528725.tif 000010
【図７】
2005528725.tif 000011
【手続補正書】
【提出日】平成16年12月6日(2004.12.6)
【手続補正１】
【補正対象書類名】図面
【補正対象項目名】図８
【補正方法】追加
【補正の内容】
【図８】
2005528725.tif 000012
【国際調査報告】
2005528725.tif 000013